(57)【要約】【課題】照明機能を備えた映像表示照明装置を提供する。【解決手段】映像表示照明装置１は、透光性および光拡散性を有するスクリーン２と、スクリーン２が外部に臨むようにスクリーン２を取着している筐体３と、筐体３内に配設され、スクリーン２を介して外部に照明光を照射する照明ランプ４と、筐体３内に配設され、スクリーン２の内面２ａ側に画像を投影する投影装置５と、照明ランプ４による照明光の照射および投影装置５による画像の投影のいずれか一方を選択する選択手段６とを具備している。【選択図】図１
2005283956.tif 000002
【特許請求の範囲】
【請求項１】
透光性および光拡散性を有するスクリーンと；
スクリーンが外部に臨むようにスクリーンを取着している筐体と；
筐体内に配設され、スクリーンを介して外部に照明光を照射する照明ランプと；
筐体内に配設され、スクリーンの内面側に画像を投影する投影装置と；
照明ランプによる照明光の照射および投影装置による画像の投影のいずれか一方を選択する選択手段と；
を具備していることを特徴とする映像表示照明装置。
【請求項２】
投影装置は、筐体内の下部側に配設され、照明ランプは、筐体内の上部側に投影装置からの画像光線を遮らないように配設されていることを特徴とする請求項１記載の映像表示照明装置。
【発明の詳細な説明】
【技術分野】
【０００１】
本発明は、スクリーンに画像および照明光が照射される映像表示照明装置に関する。
【背景技術】
【０００２】
半球状のドームスクリーンの下方よりプロジェクタにて映像を投影する投影装置が知られている(例えば、特許文献１参照。)。この投影装置は、屋内に設置され、スクリーンに投影された映像を見ながらゲームを行うものである。また、球面スクリーンに球面内部側から投影光線を投影する投影装置が提案されている（例えば、特許文献２参照。）。この投影装置は、例えば屋内に設置され、地球や月の表面に関連する画像を投影するものである。
【特許文献１】特開平３−８２４９３号公報（第２頁、第１図）
【特許文献２】特開２００３−３０２７０１号公報（第３頁、第２図）
【発明の開示】
【発明が解決しようとする課題】
【０００３】
特許文献１および特許文献２のように、屋内に設置され、スクリーン面に映像を映し出す投影装置は提供されているが、屋外の装飾効果を向上させるために、または広告機能として投影装置を使用することの要求がある。この場合、投影装置は、暗所など、比較的明るさが低い場所に設置されることになるが、投影装置を使用しないときには、別に照明装置が必要である。
【０００４】
本発明は、照明機能を備えた映像表示照明装置を提供することを目的とする。
【課題を解決するための手段】
【０００５】
請求項１に記載の映像表示照明装置の発明は、透光性および光拡散性を有するスクリーンと；スクリーンが外部に臨むようにスクリーンを取着している筐体と；筐体内に配設され、スクリーンを介して外部に照明光を照射する照明ランプと；筐体内に配設され、スクリーンの内面側に画像を投影する投影装置と；照明ランプによる照明光の照射および投影装置による画像の投影のいずれか一方を選択する選択手段と；を具備していることを特徴とする。
【０００６】
本発明および以下の発明において、特に言及しない限り、各構成は以下による。
【０００７】
投影装置により投影される画像は、静止画、動画を問わない。また、画像は、文字、図形、背景画など、その内容は問わない。
【０００８】
照明光の照射は、投影装置から画像が投影されず、投影装置に配設されている光源からの光を許容する。例えば、映像を形成させる液晶ユニット等の投影手段を手動または自動で投影装置本体から取り外し、光源の光を直接スクリーンに照射させるようにしてもよい。
【０００９】
本発明によれば、選択手段による選択により、スクリーンの内面側に照明ランプによる照明光を照射させることにより、スクリーンの外面から照明光が出射される照明装置として使用され、スクリーンの内面側に投影装置より画像を投影することにより、スクリーンの外面側から画像を見ることのできる映像装置として使用される。
【００１０】
請求項２に記載の映像表示照明装置の発明は、請求項１記載の映像表示照明装置において、投影装置は、筐体内の下部側に配設され、照明ランプは、筐体内の上部側に投影装置からの画像光線を遮らないように配設されていることを特徴とする。
【００１１】
本発明によれば、投影装置からの画像光線を遮らないように照明ランプが筐体内の上部側に配設されるので、筐体内における投影装置および照明ランプの収納効率が向上される。
【発明の効果】
【００１２】
請求項１の発明によれば、スクリーンから照明光が出射される照明装置またはスクリーンの外面で画像を見ることのできる映像装置として使用することができるので、１台の装置で照明機能および映像表示機能を実現することができる。
【００１３】
請求項２の発明によれば、照明ランプは、投影装置からの画像光線を遮らないように筐体内の上部側に配設されているので、投影装置および照明ランプに対する収納効率を高めることができる。
【発明を実施するための最良の形態】
【００１４】
以下、本発明の一実施の形態について、図面を参照して説明する。まず、本発明の第１の実施形態について説明する。
【００１５】
図１および図２は、本発明の第１の実施形態を示し、図１は映像表示照明装置の概略断面図、図２は照明ランプおよび投影装置の電源への接続図である。
【００１６】
映像表示照明装置１は、ドーム状のスクリーン２、筐体３、照明ランプ４、投影装置５および選択手段としてのスイッチ６を有して構成されている。
【００１７】
スクリーン２は、透光性および光拡散性を有するプラスチック樹脂からなり、開口部の直径が３０〜３６ｃｍの半球状に形成されている。そして、内面２ａまたは外面２ｂに、紫外線を吸収または反射する微粒子を主体として製膜された図示しない保護膜が形成されている。微粒子は、例えば酸化チタンである。そして、スクリーン２は、スクリーン２が外部に臨むようにして筐体３の上面３ａに取着されている。
【００１８】
筐体３は、箱状に形成され、上面３ａにスクリーン２の開口部の直径よりも幾分小さく、内部に連通する孔７が設けられている。この孔７をスクリーン２が覆うようにして、スクリーン２の開口端が筐体３の上面３ａに着脱可能に固定されている。
【００１９】
筐体３は、内部に仕切板８が設けられ、内部空間が上部側および下部側に区分されている。仕切板８の上面８ａに照明ランプ４を支持する一対の支持金具９，９が取り付けられている。照明ランプ４は、例えば３０Ｗ形の環形蛍光ランプである。支持金具９，９は、照明ランプ４を支持したときに、照明ランプ４が孔７の中央部に位置するように、仕切板８の所定の位置に取り付けられている。
【００２０】
そして、仕切板８の上面８ａに、照明ランプ４を点灯させる点灯装置１０が配設されている。また、仕切板８は、中央部に孔７に対向する孔１１が設けられている。
【００２１】
照明ランプ４は、点灯装置１０によって点灯される。そして、放射された光が筐体３の孔７を通過して、スクリーン２の内面２ａ側に照射され、スクリーン２の内面２ａ側を照明する。
【００２２】
投影装置５は、筐体３の下部側の内部空間に配設され、底面３ｂに図示しない固定金具で固定されている。そして、投影装置５は、スクリーン２の内面２ａ側に画像光線を出力する。画像光線は、仕切板８の孔１１、照明ランプ４の内方の空間を通過し、筐体３の孔７から半球状のスクリーン２の内面２ａ側の全域に照射される。これにより、投影装置５は、スクリーン２の内面２ａ側に画像を投影する。そして、照明ランプ４は、投影装置５からの画像光線を遮らないように配設されている。
【００２３】
スイッチ６は、投影装置５および点灯装置１２のいずれか一方に電源を供給することを選択するものである。図２に示すように、スイッチ６は、リレーＲｙを介して商用電源Ｖｓに接続されている。そして、照明ランプ４を点灯させる点灯装置１０は、常閉のリレー接点Ｒｙ−ｂを介して商用電源Ｖｓに接続され、投影装置５は、常開のリレー接点Ｒｙ−ａを介して商用電源Ｖｓに接続されている。
【００２４】
スイッチ６がオフのとき、商用電源Ｖｓが投入されると、点灯装置１１は商用電源Ｖｓより給電されて照明ランプ４を点灯させる。そして、スイッチ６がオンのとき、商用電源Ｖｓが投入されると、リレーＲｙのコイルが励磁され、それぞれのリレー接点Ｒｙ−ａ，Ｒｙ−ｂの開閉状態が逆になる。この結果、点灯装置１０は商用交流Ｖｓに接続されなくなり、投影装置５が商用電源Ｖｓに接続されて動作するようになる。
【００２５】
点灯装置１０が照明ランプ４を点灯させると、スクリーン２の内面２ａ側に照明ランプ４による照明光の照射が行われ、投影装置５が動作すると、スクリーン２の内面２ａ側に画像の投影が行われるようになる。そして、スイッチ６は、例えばタイマ、リモコンまたはオンライン操作で制御可能になっている。
【００２６】
そして、スイッチ６をオフし、さらに商用電源Ｖｓを投入することによって、スクリーン２の内面２ａ側に照明ランプ４による照明光の照射が行われ、スクリーン２の外面２ｂから照明光が出射される。したがって、映像表示照明装置１の周辺を照明するガーデンライト（庭園灯）や街路灯などとして使用可能である。
【００２７】
また、照明ランプ４は、筐体３の上部側に配設されているので、スクリーン２に近くなり、照明ランプ４から放射された光が多くスクリーン２の内面２ａ側に照射されるようになる。したがって、スクリーン２から出射される光量が多くなって、スクリーン２が明るい照明装置が提供される。
【００２８】
そして、スイッチ６をオンすることにより、さらに投影装置５を動作させることによって、ドームスクリーン２の内面２ａ側に画像の投影が行われるようになる。したがって、スクリーンの外面で画像を見ることのできる映像装置が提供される。そして、画像の内容により、表示灯や広告灯として使用することも可能である。
【００２９】
そして、投影装置５は、筐体３内の下部側に配設され、照明ランプ４は、筐体３内の上部側に投影装置５からの画像光線を遮らないように配設されているので、照明ランプ４および投影装置５の収納効率が良好となるとともに、投影装置５を動作させて使用するとき、照明ランプ４を取り外したり、移動させたりする必要がない。すなわち、映像表示照明装置１は、スイッチ６のオンオフの操作のみによって、スクリーン２の内面２ａ側に照明光の照射または画像の投影が行うことができ、照明装置および映像装置として使用可能である。
【００３０】
なお、スクリーン２は、ドーム状に形成しているが、平面状など、任意の形状に形成されもよい。
【００３１】
次に、本発明の第２の実施形態について説明する。
【００３２】
図３は、本発明の第２の実施形態を示す映像表示照明装置の概略断面図である。なお、図１と同一部分には同一符号を付して説明は省略する。
【００３３】
図３に示す映像表示照明装置１２は、図１に示す映像表示照明装置１において、投影装置５が２台設けられ、それぞれの投影装置５が半球状のスクリーン２の内面２ａ側の半分にそれぞれ画像光線を照射するように構成されている。すなわち、大型のスクリーン２に画像を投影することができるようにしている。スクリーン２の直径は、例えば１００〜１５０ｃｍである。
【００３４】
仕切板１３は、自身の大きさおよび孔１４の大きさが異なる以外、仕切板８と同様に形成されている。また、支持金具１５，１５も、大きさや配設位置が異なる以外、支持金具９，９と同様に形成されている。そして、照明ランプ４は、例えば４０Ｗの環形蛍光ランプであり、照明ランプ４を点灯させる点灯装置１０は、筐体３の底面３ｂに配設されている。そして、投影装置５は、筐体３の底面３ｂに設けられた設置台１６に固定されている。
【００３５】
映像表示照明装置１２は、スイッチ６のオンオフの操作により、スクリーン２の内面２ａ側に照明光の照射または画像の投影を行うことができる。
【図面の簡単な説明】
【００３６】
【図１】本発明の第１の実施形態を示す映像表示照明装置の概略断面図。
【図２】同じく、照明ランプおよび投影装置の電源への接続図。
【図３】本発明の第２の実施形態を示す映像表示照明装置の概略断面図。
【符号の説明】
【００３７】
１，１２…映像表示照明装置
２…スクリーン
３…筐体
４…照明ランプとしての環形蛍光ランプ
５…投影装置
６…選択手段としてのスイッチ
【図１】
2005283956.tif 000003
【図２】
2005283956.tif 000004
【図３】
2005283956.tif 000005